(57)【要約】【課題】環境湿度に応じた適正な高圧設定を行い、所望した画像を得ることのできる画像形成装置を提供する。【解決手段】制御手段１は、湿度センサ３の湿度信号の変化量が所定量より少なくなったことを検知したとき、湿度信号を有効とし、有効となった湿度信号に応じて画像形成動作に用いる高圧出力条件を設定する。高圧手段６は、設定した高圧出力条件に応じた高圧電圧を出力する。【選択図】　　　　図１
2004029130.tif 000002
【特許請求の範囲】
【請求項１】
装置の周囲の環境湿度を検知し湿度信号を出力する湿度センサを備えた画像形成装置において、
電源投入後から前記湿度信号の変化量を調べ、変化量が所定量より少なくなったと判断すると前記湿度センサの湿度信号を有効にして、湿度信号に応じて画像形成動作に用いる高圧出力条件を設定する制御手段と、
前記制御手段が設定した高圧出力条件に応じた高圧電圧を出力する高圧出力手段と、
を備えたことを特徴とする画像形成装置。
【請求項２】
装置の周囲の環境湿度を検知し湿度信号を出力する湿度センサを備えた画像形成装置において、
装置へ操作入力を行う入力部および操作入力，装置の状態に応じた表示を行う表示部を有する操作手段と、
装置の置かれた周囲の環境湿度の設定を行う環境湿度設定モードに入った場合に、前記表示部に、装置の置かれた環境湿度に応じた操作入力を促す表示を行い、前記入力部から表示に応じた操作入力を受け付けたときには、前記湿度センサからの湿度信号を使用せず、操作入力された環境湿度を用いて画像形成動作に使用する高圧出力条件を設定する制御手段と、
前記制御手段で設定した高圧出力条件に応じた高圧電圧を出力する高圧出力手段と、
を備えたことを特徴とする画像形成装置。
【請求項３】
装置の周囲の環境湿度を検知し湿度信号を出力する湿度センサを備えた画像形成装置において
装置へ操作入力を行う入力部および操作入力，装置の状態に応じた表示を行う表示部を有する操作手段と、
電源投入後から湿度センサの湿度信号の変化量を調べ、その変化量が所定量よりも少なくなったと判断すると、スタンバイモードへ移行し、画像形成動作を受け付けた場合に、前記湿度センサの湿度信号を用いて、画像形成動作に使用する高圧出力条件を設定し、湿度センサの湿度信号の変化量が所定量よりも大きい場合は、装置の置かれた周囲の環境湿度の設定を行う環境湿度設定モードに移行し、前記表示部に、装置の置かれた環境湿度に応じた操作入力を促す表示を行い、前記入力部から表示に応じた操作入力を受け付けたときには、スタンバイモードへ移行し、この状態でスタート信号を入力したとき、前記環境湿度設定モードで操作入力された環境湿度を用いて画像形成動作に使用する高圧出力条件を設定する制御手段と、
前記制御手段が設定した高圧設定条件に応じて高圧電圧を出力する高圧出力手段と、
を備えたことを特徴とする画像形成装置。
【請求項４】
請求項１ないし３のいずれかに記載の画像形成装置において、
前記高圧出力手段は、潜像をトナーにより可視像にするときに用いる現像高圧のＤＣ電圧、または前記現像高圧で可視像にしたトナー像を用紙等へ転写するときに用いる転写高圧のＤＣ電圧の出力を行う高圧出力手段であることを特徴とする画像形成装置。
【請求項５】
装置の周囲の環境湿度を検知し湿度信号を出力する湿度センサを備えた画像形成装置における画像形成方法であって、
電源投入後から前記湿度信号の変化量を調べるステップＡと、
前記ステップＡで調べた変化量が所定量より少なくなったことを検知するステップＢと、
前記ステップＢで少なくなったことを検知したとき前記湿度センサの湿度信号を有効にするステップＣと、
前記ステップＣで有効となった湿度信号に応じて画像形成動作に用いる高圧出力条件を設定するステップＤと、
前記ステップＤで設定した高圧出力条件に応じた高圧電圧を出力するステップＥと、
を備えたことを特徴とする画像形成方法。
【請求項６】
装置の周囲の環境湿度を検知し湿度信号を出力する湿度センサを備えた画像形成装置における画像形成方法であって、
装置の置かれた周囲の環境湿度の設定を行う環境湿度設定モードに入った場合に、表示部に、装置の置かれた環境湿度に応じた操作入力を促す表示を行うステップＦと、
前記ステップＦでの表示に応じた操作入力を受け付けたときには、前記湿度センサからの湿度信号を使用せず、操作入力された環境湿度を用いて画像形成動作に使用する高圧出力条件を設定するステップＧと、
前記ステップＧで設定した高圧出力条件に応じた高圧電圧を出力するステップＨと、
を備えたことを特徴とする画像形成方法。
【請求項７】
装置の周囲の環境湿度を検知し湿度信号を出力する湿度センサを備えた画像形成装置における画像形成方法であって、
電源投入後から湿度センサの湿度信号の変化量を調べるステップＩと、
前記ステップＩで調べた変化量が所定量よりも少なくなったことを検知するステップＪと、
前記ステップＪで少なくなったことを検知したとき、スタンバイモードへ移行し、画像形成動作を受け付けた場合に、前記湿度センサの湿度信号を用いて、画像形成動作に使用する高圧出力条件を設定するステップＫと、
前記湿度センサの湿度信号の変化量が所定量よりも大きいことを検知するステップＬと、
前記ステップＬで大きいことを検知したときに、装置の置かれた周囲の環境湿度の設定を行う環境湿度設定モードに移行し、表示部に、装置の置かれた環境湿度に応じた操作入力を促す表示を行うステップＭと、
前記ステップＭでの表示に応じた操作入力を受け付けたときには、スタンバイモードへ移行し、この状態でスタート信号を入力したとき、前記環境湿度設定モードで操作入力された環境湿度を用いて画像形成動作に使用する高圧出力条件を設定するステップＮと、
前記ステップＫまたはＮで設定した高圧設定条件に応じて高圧電圧を出力するステップＯと、
を備えたことを特徴とする画像形成方法。
【発明の詳細な説明】
【０００１】
【発明の属する技術分野】
本発明は、電子写真方式の画像形成装置に関し、特に湿度センサからの湿度信号をもとづく、画像形成制御時に使用する高圧の設定制御に関するものである。
【０００２】
【従来の技術】
従来、湿度センサを備えた電子写真方式の画像形成装置では、以下のように高圧制御を行っていた。
【０００３】
電源投入後から、湿度センサの湿度信号をもとに、環境湿度を割り出し、その環境湿度条件で画像形成させるときに用いる各高圧制御の印加電圧を各々制御手段が決定し、高圧制御を行っていた。
【０００４】
また、湿度センサに湿度と温度の両方検出する手段を設け、温度，湿度両方の情報から環境湿度水分量すなわち絶対湿度を検知し、これらの情報で高圧条件を決定し、高圧制御を行っている電子写真方式の画像形成装置もある。
【０００５】
【発明が解決しようとする課題】
前述の高圧制御を行うにあたり、以下に述べるような環境下、または装置においては湿度センサの情報が狂うことがある。
【０００６】
例えば、装置の設置場所が空調の吹き出し口の近辺に設置されている場合や、設置された部屋の窓を開放した状態で使用した場合、装置自体が空調等によってあぶられたり冷やされたりすることがある。
【０００７】
このような環境で使用されると、湿度センサからの読み取り情報が実際の環境湿度と異なることがある。
【０００８】
また一方、ウェイトレスタイプの電子写真方式の画像形成装置がある。このような装置で、特に小型機の場合、環境の異なる場所へ移動した直後に画像形成動作を要求されることがある。
【０００９】
この場合、湿度センサの特性で、湿度信号が移動された装置周辺の環境湿度の出力値でなく、移動する前の環境湿度に近い出力値から数分間かけて移動された環境湿度の出力値へと推移する。
【００１０】
前述のような場所に設置された電子写真方式の画像形成装置では、湿度信号の出力が実際の環境湿度に対して大きく食い違って認識する場合がある。具体的には高圧設定を低湿環境下であるにも関わらず高湿環境であると認識してしまう。また正反対である高湿環境を低湿環境であると認識してしまうことがある。
【００１１】
また、湿度センサの湿度信号は移動前の湿度情報に近い出力値を示すため、前述したように、画像形成条件の異なる環境湿度と認識してしまう。
【００１２】
このように、実際と異なる環境湿度を認識し、認識した環境湿度にもとづいて画像形成時に高圧設定を行うため、得られた画像が異常になることがある。
【００１３】
本発明は、このような状況のもとでなされたもので、環境湿度に応じた適正な高圧設定を行い、所望した画像を得ることのできる画像形成装置を提供することを目的とするものである。
【００１４】
【課題を解決するための手段】
前記目的を達成するため、本発明では、画像形成装置を次の（１）ないし（４）のとおりに構成し、画像形成方法を次の（５）ないし（７）のとおりに構成する。
【００１５】
（１）装置の周囲の環境湿度を検知し湿度信号を出力する湿度センサを備えた画像形成装置において、
電源投入後から前記湿度信号の変化量を調べ、変化量が所定量より少なくなったと判断すると前記湿度センサの湿度信号を有効にして、湿度信号に応じて画像形成動作に用いる高圧出力条件を設定する制御手段と、
前記制御手段が設定した高圧出力条件に応じた高圧電圧を出力する高圧出力手段と、
を備えた画像形成装置。
【００１６】
（２）装置の周囲の環境湿度を検知し湿度信号を出力する湿度センサを備えた画像形成装置において、
装置へ操作入力を行う入力部および操作入力，装置の状態に応じた表示を行う表示部を有する操作手段と、
装置の置かれた周囲の環境湿度の設定を行う環境湿度設定モードに入った場合に、前記表示部に、装置の置かれた環境湿度に応じた操作入力を促す表示を行い、前記入力部から表示に応じた操作入力を受け付けたときには、前記湿度センサからの湿度信号を使用せず、操作入力された環境湿度を用いて画像形成動作に使用する高圧出力条件を設定する制御手段と、
前記制御手段で設定した高圧出力条件に応じた高圧電圧を出力する高圧出力手段と、
を備えた画像形成装置。
【００１７】
（３）装置の周囲の環境湿度を検知し湿度信号を出力する湿度センサを備えた画像形成装置において
装置へ操作入力を行う入力部および操作入力，装置の状態に応じた表示を行う表示部を有する操作手段と、
電源投入後から湿度センサの湿度信号の変化量を調べ、その変化量が所定量よりも少なくなったと判断すると、スタンバイモードへ移行し、画像形成動作を受け付けた場合に、前記湿度センサの湿度信号を用いて、画像形成動作に使用する高圧出力条件を設定し、湿度センサの湿度信号の変化量が所定量よりも大きい場合は、装置の置かれた周囲の環境湿度の設定を行う環境湿度設定モードに移行し、前記表示部に、装置の置かれた環境湿度に応じた操作入力を促す表示を行い、前記入力部から表示に応じた操作入力を受け付けたときには、スタンバイモードへ移行し、この状態でスタート信号を入力したとき、前記環境湿度設定モードで操作入力された環境湿度を用いて画像形成動作に使用する高圧出力条件を設定する制御手段と、
前記制御手段が設定した高圧設定条件に応じて高圧電圧を出力する高圧出力手段と、
を備えた画像形成装置。
【００１８】
（４）前記（１）ないし（３）のいずれかに記載の画像形成装置において、
前記高圧出力手段は、潜像をトナーにより可視像にするときに用いる現像高圧のＤＣ電圧、または前記現像高圧で可視像にしたトナー像を用紙等へ転写するときに用いる転写高圧のＤＣ電圧の出力を行う高圧出力手段である画像形成装置。
【００１９】
（５）装置の周囲の環境湿度を検知し湿度信号を出力する湿度センサを備えた画像形成装置における画像形成方法であって、
電源投入後から前記湿度信号の変化量を調べるステップＡと、
前記ステップＡで調べた変化量が所定量より少なくなったことを検知するステップＢと、
前記ステップＢで少なくなったことを検知したとき前記湿度センサの湿度信号を有効にするステップＣと、
前記ステップＣで有効となった湿度信号に応じて画像形成動作に用いる高圧出力条件を設定するステップＤと、
前記ステップＤで設定した高圧出力条件に応じた高圧電圧を出力するステップＥと、
を備えた画像形成方法。
【００２０】
（６）装置の周囲の環境湿度を検知し湿度信号を出力する湿度センサを備えた画像形成装置における画像形成方法であって、
装置の置かれた周囲の環境湿度の設定を行う環境湿度設定モードに入った場合に、表示部に、装置の置かれた環境湿度に応じた操作入力を促す表示を行うステップＦと、
前記ステップＦでの表示に応じた操作入力を受け付けたときには、前記湿度センサからの湿度信号を使用せず、操作入力された環境湿度を用いて画像形成動作に使用する高圧出力条件を設定するステップＧと、
前記ステップＧで設定した高圧出力条件に応じた高圧電圧を出力するステップＨと、
を備えた画像形成方法。
【００２１】
（７）装置の周囲の環境湿度を検知し湿度信号を出力する湿度センサを備えた画像形成装置における画像形成方法であって、
電源投入後から湿度センサの湿度信号の変化量を調べるステップＩと、
前記ステップＩで調べた変化量が所定量よりも少なくなったことを検知するステップＪと、
前記ステップＪで少なくなったことを検知したとき、スタンバイモードへ移行し、画像形成動作を受け付けた場合に、前記湿度センサの湿度信号を用いて、画像形成動作に使用する高圧出力条件を設定するステップＫと、
前記湿度センサの湿度信号の変化量が所定量よりも大きいことを検知するステップＬと、
前記ステップＬで大きいことを検知したときに、装置の置かれた周囲の環境湿度の設定を行う環境湿度設定モードに移行し、表示部に、装置の置かれた環境湿度に応じた操作入力を促す表示を行うステップＭと、
前記ステップＭでの表示に応じた操作入力を受け付けたときには、スタンバイモードへ移行し、この状態でスタート信号を入力したとき、前記環境湿度設定モードで操作入力された環境湿度を用いて画像形成動作に使用する高圧出力条件を設定するステップＮと、
前記ステップＫまたはＮで設定した高圧設定条件に応じて高圧電圧を出力するステップＯと、
を備えた画像形成方法。
【００２２】
【発明の実施の形態】
以下本発明の実施の形態を画像形成装置の実施例により詳しく説明する。なお、本発明は、装置の形に限らず、実施例の説明に裏付けられて、方法の形で実施することもできる。
【００２３】
【実施例】
（後述する実施例１〜３に共通する技術）
実施例１〜３を説明する前に、各実施例に共通する技術について説明する。
【００２４】
図１は、実施例である“画像形成装置”の要部である、制御手段廻りの構成を示すブロック図である。
【００２５】
図１において、１は、画像形成装置本体はもとより、各手段を制御し、画像形成動作および本発明にかかる制御を行う制御手段で、実施例ではマイクロコンピュータ（以下マイコンという）を用いている。
【００２６】
実施例では、制御手段１に、Ｉ／ＯポートやＡ／ＤポートやＲＯＭやＲＡＭ等が内蔵されているワンチップ型マイコンを使用しているが、プログラム容量や負荷数等の関係で、外部にＩ／ＯポートやＲＯＭやＲＡＭを増設しても全く同じ効果が得られる。
【００２７】
制御手段１の補足説明をすると、Ｉ／Ｏポートは、例えば操作手段２との間で入出力信号のやりとりを行いキー入力の状態を検知し、表示部への表示を制御するための入出力ポートのことである。
【００２８】
Ａ／Ｄポートは、湿度センサ３から湿度信号として出力されるアナログ電圧を制御手段１に供給される電源電圧と比較して、制御手段１の内部で扱うデジタル値に変換するアナログ／デジタル変換ポートのことである。
【００２９】
ＲＯＭは、プログラムおよびデータテーブル等が予め書き込まれているメモリで、読み出し専門のメモリ、ＲＡＭは、マイコンの中で演算した結果を読み書きできるメモリのことであるが、これ以上の説明は省略する。
【００３０】
２は、装置にモード設定や枚数設定や画像形成要求等を伝えるキー入力部およびキー入力部のキー入力や装置の状態に応じてモード設定状態や装置の状態等の表示を行う表示部を備えた操作手段である。
【００３１】
実施例の操作手段２には、環境湿度入力キーおよびテンキーや画像形成モード設定キー等の操作キーや、液晶やＬＥＤ等が実装されており（操作手段の詳細は図示せず）、そのキー入力情報や装置の状態を示す表示部は、前記制御手段１と入出力信号を互いに送受信し、キー入力操作や装置自身の状態の表示を行うことができる。なお、キー入力のかわりにタッチボードその他の適宜の操作入力手段を用いることができる。
【００３２】
３は、装置本体内に実装され、装置周辺の湿度を湿度信号として制御手段１へ伝える湿度センサ３であり、実施例では湿度の状態に応じたアナログ出力電圧を出力する相対湿度センサ３を用いている。
【００３３】
また湿度センサ３の出力信号は、制御手段１のＡ／Ｄポートへ供給され、その読み取り値と制御手段１のＲＯＭ内にある湿度センサ３のテーブルとが照らし合わされ、その結果として湿度情報に変換される。
【００３４】
４は、時間を計測するためのタイマ手段である。タイマ手段は、制御手段１であるマイコンのタイマ割り込み機能を用いても良いし、制御手段１の外部にタイマ手段を設け、設定した時間が経過した時に割り込みを制御手段１へかけることでも同様な効果が得られる。
【００３５】
５は装置の操作手段からのキー入力や画像形成動作の要求を受け付けるための外部インターフェースである。すなわちＦＡＸの受信や、ＬＡＮやスタンドアローンでつながれたパソコンからのプリント命令で、本装置から画像を出力させるためのインターフェースである。
【００３６】
６は、感光ドラムに画像形成するために必要な高圧を発生する高圧手段であり、少なくても現像用の高圧手段および転写用の高圧手段が含まれる。
【００３７】
実施例では、制御手段１からＰＷＭ等の信号を出力し、そのＰＷＭ信号をもとに印加するＤＣ成分の電圧を可変可能にしている。
【００３８】
図２は、感光体にトナーの可視像を作成するときに用いる、現像用ＤＣ高圧（以下現像バイアスという）を出力する現像バイアス回路である。
【００３９】
以下、図２の現像バイアス回路の説明を行う。
【００４０】
制御手段１からのＰＷＭ信号のパルス信号をコンデンサＣ１および抵抗Ｒ１の積分回路でパルス信号からＤＣ電圧に変換し、オペアンプＱ１のボルテージフォロワを経て、抵抗Ｒ２およびＲ３，Ｒ４の分圧回路を経てコンパレータＱ２のマイナス入力端子へ現像バイアスの制御基準電圧（以下基準電圧という）を与えている。この基準電圧を変化させるにはＰＷＭ信号のパルスのデューティを変化することにより実現できる。
【００４１】
また前記コンパレータＱ２のプラス入力端子には、現像バイアスの出力電圧をＲ７，Ｒ１２で分圧した電圧と、３．３Ｖを抵抗Ｒ５、Ｒ６，Ｒ７で分圧して電圧とを足し合わせた電圧（以下フィードバック電圧という）とを比較する。このフィードバック電圧は必ずプラス電位になるように各抵抗の値を調整する必要がある。
【００４２】
基準電圧＜フィードバック電圧時は、コンパレータＱ２の出力が“Ｈ”になるため、以下に述べるＣＬＫ信号による制御を可能にさせ、現像バイアス電位（絶対値）を高め、基準電圧≧フィードバック電圧時には、コンパレータＱ２の出力が“Ｌ”となるので以下で述べるＣＬＫ信号による制御を無効にし、現像バイアス電位（絶対値）を低くするように作用する。
【００４３】
ＣＬＫ信号は、定周期のクロックであり、トランジスタＴＲ１とＴＲ２を介してトランスＴ１を駆動させる信号である。
【００４４】
実施例では、ＣＬＫ信号を制御手段１から出力しているが、単に発振回路で得られるパルス信号であっても同じ効果は得られる。
【００４５】
ＣＬＫ信号が有効になると、トランジスタＴＲ１がＣＬＫ信号の“Ｈ”の間トランジスタＴＲ２をオンさせる。またＣＬＫ信号の“Ｌ”の間ＴＲ２をオフさせる。すなわちＰＷＭ信号でトランスＴ１を駆動することになる。
【００４６】
その結果、トランスＴ１の２次側にＣＬＫによるＰＷＭ信号と同じ周期の高圧電圧（ＡＣ）を発生させる。その高圧電圧をダイオードＤ３およびコンデンサＣ２とで整流し、現像バイアスに用いる（マイナス）電位を発生させる。
【００４７】
したがってＣＬＫ信号が有効になっている状態では、現像バイアスの電圧値（絶対値）は上昇する。一方、有効でないときには前記高圧電圧が生じないため現像バイアスの電圧値は（絶対値）は下降することになる。
【００４８】
またＯＮ信号は、トランジスタＴＲ１の駆動を実際に行うか否かを決定する、すなわち現像バイアスを出力するか否かを決定させる信号であり、実施例では制御手段１から出力する。ただし、このＯＮ信号の周期はコンパレータＱ２の出力信号に対して長周期のオンオフ制御であるため、現像バイアスを出力するか否かを決定させるための信号として用いている。
【００４９】
ＯＮ信号が“Ｈ”出力の時には、前記ＣＬＫ信号の制御を行うことになり、現像バイアスが出力可能状態になる。ＯＮ信号が“Ｌ”出力状態の時には前記ＣＬＫ信号の制御を行わないため、コンパレータＱ２の出力が“Ｈ”になっても、トランジスタＴＲ１がオンしないため、現像バイアスは出力されない状態になる。
【００５０】
以上説明したように、図２に示した現像バイアス回路は、制御手段１のＰＷＭ信号をＤＣ電圧に変換した電圧をもとにした基準電圧と、現像出力電圧をもとにしたフィードバック電圧とを比較するフィードバック制御を行うことで、現像バイアスの電圧を、ＰＷＭ信号に従い安定化させている。そのため、ＰＷＭ信号のデューティを変更することにより現像バイアス出力を変更することが可能になる。
【００５１】
したがって、制御手段１は、ＯＮ信号とＣＬＫ信号とＰＷＭ信号の出力制御を行うことで、現像バイアスを目的のタイミングでオン制御またはオフ制御を可能で、かつその電圧値を所望の電圧値に制御することが可能である。
【００５２】
前述のように現像バイアスの制御を説明したが、もう一つの高圧出力である、転写高圧ＤＣ出力（以下転写バイアスという）の説明を簡単に行う。
【００５３】
転写バイアスの回路は、前述した現像バイアス回路と同ような構成で可能であるが、本実施例では現像バイアスの出力電圧と逆極性であるため、図２において、ダイオードＤ２とＤ３の方向を逆にする。かつ、コンパレータＱ２のプラス入力端子とマイナス入力端子に入れる信号を入れ替えればよい（すなわち基準電圧とフィードバック電圧を入れ替える。）。
【００５４】
また、実施例では、転写バイアスの出力電位はプラス電位の出力であるため、コンパレータＱ２のプラス入力端子に対してフィードバック電圧はプラス電位になるので、制御手段１からのＰＷＭ信号から作成した基準電圧とフィードバック電位とを比較制御を行うことにより、前述の現像バイアスの制御と同等になることは明らかである。
【００５５】
したがって、湿度センサ３の湿度信号等からの環境湿度の情報で、印加する電圧を決定する場合、制御手段１は、ＣＬＫ信号を出力し、湿度情報に対応したＲＯＭ内のテーブルから湿度に対応したテーブル値を用いて、ＰＷＭ信号にそのテーブル値でＰＷＭ信号を出力すると目的のデューティにてＰＷＭ信号を出力することができる。
【００５６】
さらに、ＯＮ信号を“Ｈ”にさせることで、現像バイアス電圧を湿度に対応した出力電圧に設定し出力することができる。
【００５７】
この高圧制御は、転写バイアスの出力時にも全く同じ制御を行うことで実現できる。
【００５８】
この高圧制御のジェネラルフローを図３に示す。以下図３により説明する。
【００５９】
図３のフローは高圧出力のサブルーチンで、Ｓ（ステップ）１でＣＬＫ信号を出力する。
【００６０】
Ｓ２で湿度センサ３の湿度信号または湿度設定または固定の湿度情報の何れかの内有効に設定された湿度情報からその湿度に相当するＰＷＭのパルスデューティをＲＯＭ内のテーブルから決定してＰＷＭ信号を出力する。
【００６１】
Ｓ３で高圧オンタイミングであるか否かを判断し、オンタイミングであるならば、Ｓ４でＯＮ信号を“Ｈ”にする。この制御を行うことによって前述したように、現像バイアスまたは転写バイアスの電位を環境湿度に応じた電圧に設定して出力することができる。
【００６２】
オンタイミングでなければ、Ｓ５でＯＮ信号を“Ｌ”にすることにより、現像バイアスまたは転写バイアスをオフにすることができる。
【００６３】
以上で制御手段１による高圧手段６の制御に関する説明を終了する。
【００６４】
以下図１をもとに、実施例における湿度センサ３が有効時の画像形成動作を最初に説明する。
【００６５】
操作手段２、または外部インターフェース手段５から画像形成要求信号（以下スタート信号という）が入力されたとき、制御手段１はこのスタート信号を検知し画像形成動作を開始する。
【００６６】
電源投入された後は、装置に搭載された湿度センサ３の情報をもとに制御手段１は現在の環境湿度を判断する。その後、用紙を給紙し、その給紙された用紙の先端と感光体上の静電画像（潜像）との先端合わせを行い、トナーを感光体の静電画像に付着（現像）させて可視像にさせてから用紙にトナー像を転写させて、熱定着で用紙へトナー像を定着して画像を得るのであるが、この感光体に対して潜像を設ける準備を行う、トナーを載せ現像する、トナー像を用紙に転写する、感光体に残ったトナーをクリーニングするために、高圧制御が必要となる。
【００６７】
この場合、環境湿度が異なると、現像と転写を行うときに高圧制御電圧を調整している。すなわち、実施例では、現像バイアスと転写バイアスのＤＣ電圧を調整している。
【００６８】
説明を簡単にするために、低湿度，中湿度，高湿度の３つの環境に分けて説明する。
【００６９】
２５％ＲＨ（相対湿度）未満の環境湿度を低湿度環境とし、２５％ＲＨ以上６０％ＲＨ未満の環境湿度を中湿度環境とし、６０％ＲＨ以上の環境湿度を高湿度環境としている。
【００７０】
制御手段１により、湿度センサ３からの湿度信号をＡ／Ｄ変換して読みとった環境湿度を、低湿度環境であると判定した場合を（Ａ）とし、中湿度環境であると判定した場合を（Ｂ）とし、高湿度環境であると判定した場合を（Ｃ）として、それぞれの場合について制御手段１が行う制御について説明する。
【００７１】
各環境湿度で電圧の変更を行うが、前述したように、実施例では現像バイアスの直流分の電圧と、転写バイアスの直流分の電圧を変更している。以下は実施例による変更例である。
【００７２】
機械差により各々自動で高圧調整を行うため、機械差で電圧はばらつくが、標準的な電圧は、次のとおりである。
（Ａ）の場合、転写バイアスの電圧＝３．９４ＫＶ、現像バイアスの電圧＝−５００Ｖ
（Ｂ）の場合、転写バイアスの電圧＝３．５５ＫＶ、現像バイアスの電圧＝−４５０Ｖ
（Ｃ）の場合、転写バイアスの電圧＝２．９４ＫＶ、現像バイアスの電圧＝−４５０Ｖ
【００７３】
前述のとおりに高圧電圧の設定を変更して、画像形成時に各々の高圧電圧のタイミングに前記電圧に相当するＰＷＭ信号のパルスデューティを変更し、前記電圧を出力するように制御手段１が高圧手段６へ出力する制御を行っている。
【００７４】
もちろん、この環境湿度をさらに細かく分けて制御することで、更に画像の品質を上げられることは言うまでもないが、ここでは３つの環境に分けて制御する例を説明するに留める。
【００７５】
ここで、湿度センサ３の湿度信号の出力特性を説明する。
【００７６】
装置周辺の環境湿度を変化させない、すなわち装置を移動させない状態で、装置に電源を投入した直後の湿度センサ３の湿度信号変換値と環境湿度との差は５％ＲＨ程度の誤差しか発生しないことがわかっている。
【００７７】
但し、湿度センサ３自体を環境湿度の大きく異なる場所へ移動した後（結露しない条件下）、移動した環境湿度の正規な出力値の９割相当の出力値になるまで数分程度かかることがわかっている。
【００７８】
すなわち、実施例で用いている湿度センサ３では、９０％ＲＨと３０％ＲＨ環境とで互いに環境を入れ替えた場合、
（ａ）９０％ＲＨ→３０％ＲＨに移動した場合、
９０−（９０−３０）×０．９＝３６％ＲＨ、すなわち、３６％ＲＨ出力相当になるまで
（ｂ）３０％ＲＨ→９０％ＲＨに移動した場合
３０＋（９０−３０）×０．９＝８４％ＲＨ、すなわち、８４％ＲＨ出力相当になるまで
前記の条件になるまでの時間は、標準でも３．５分最悪５分間かかるデータがある。
【００７９】
前述の説明は、湿度センサ単体での環境湿度変化の応答時間の説明である。
【００８０】
また電子写真方式の画像形成装置の話であるが、近年ウェイトアップ時間の短縮を実現する装置が存在する。このようなウェイトレスタイプの画像形成装置である場合、電源投入直後に画像形成動作を行える。
【００８１】
ウェイトレスタイプでかつ小型機の場合には、移動させられた直後に画像形成動作を行われたりすることがある。この状況は、湿度センサ３単体を環境湿度の異なる場所へ移動した場合に酷似している。
【００８２】
すなわち、移動した場所と移動する前の環境湿度が大きく異なる場合、一例として高湿環境から低湿環境下へ移動した場合を想定する。
【００８３】
移動後に電源投入されウェイトアップした直後にスタート信号を検知したとき、湿度センサ３の湿度信号をもとに画像形成動作の条件を設定してしまうと、湿度信号はまだ高湿状態の出力をしているため実際は低湿環境であるにも関わらず高湿環境下の画像設定条件で現像バイアスと転写バイアスを設定し、画像を出力してしまう。
【００８４】
本来、前述の高圧設定を（Ａ）の条件で高圧を設定させるところを（Ｃ）の条件で高圧設定してしまうことになる。
【００８５】
低湿環境から高湿環境へ移動しかつ結露しなかった場合は、逆に高湿環境であるにも関わらず低湿環境下の画像設定条件で画像を出力することになってしまう。すなわち（Ｃ）の設定を（Ａ）で行ってしまう結果になる。
【００８６】
そのため、画像の濃度が全体的に濃い画像になる。または、全体的に薄い画像を出力してしまい、所望した画像ではないため使用者が異常画像と認識し、再度画像形成動作を行わなければならないことになってしまう。
【００８７】
前述の誤動作の原因は、移動した場所の環境湿度に対し湿度センサ３の湿度信号の出力値が追いつかないのに、制御手段１が湿度センサ３からの情報で高圧条件を設定して画像を出力することにある。
【００８８】
したがって、前述のような環境湿度が異なる場所へ移動する、または湿度センサ３の湿度信号の応答時間がかかる環境下で画像形成装置を使用する場合、その対策として以下のようにすることにより解決することができる。
【００８９】
対策▲１▼　湿度センサ３の湿度信号の変化量を調べ、変化量が一定値以下になったら湿度信号を有効にする。それまで環境湿度状態を例えば中湿度環境に固定しておく。
【００９０】
対策▲２▼　画像形成装置の置かれた環境湿度を使用者が設定する手段を設ける。使用者により環境湿度が設定されたら、湿度センサ３の湿度信号を用いず、使用者により設定された環境湿度を用いる。
【００９１】
対策▲３▼　湿度センサ３の湿度信号の変化量が大きい場合、環境湿度を使用者が設定するモードに入り、環境湿度を入力待ち状態にさせながらスタンバイ状態の準備だけは行い、環境湿度が入力されたらスタンバイにさせ、スタート信号を受け付け状態にさせる。
【００９２】
そのスタンバイ状態で、スタート信号が入力されたら、設定された環境湿度を用い高圧設定を行う。
【００９３】
また湿度センサ３の湿度信号の変化量が所定値よりも少なくなれば湿度センサ３の湿度信号を有効にしてスタート信号を受け付けるスタンバイ状態にさせる。
【００９４】
そのスタンバイ状態でスタート信号が入力されたら、湿度センサ３の湿度信号を用いて高圧設定を行う。
【００９５】
次に、前記対策▲１▼〜▲３▼にそれぞれ対応した、実施例１〜実施例３を説明する。
【００９６】
（実施例１）
前記▲１▼の対策を行う“画像形成装置”を実施例１として説明する。
【００９７】
本実施例は、環境湿度の異なる場所へ移動した場合や、環境湿度が急激に変動している状態で画像形成動作を行う場合に適している。
【００９８】
電源投入されたら制御手段１はスタンバイ状態への制御を行うと共に、中湿度環境に環境湿度設定値を設定する。
【００９９】
この後スタート信号を受け付けると中湿度の条件すなわち前記（Ｂ）の高圧条件で画像形成動作を行う。条件として３つの環境条件があるが、低，中，高湿度の条件で中湿度を選んでおけば、多くても１段階（ＡとＢまたはＣとＢの差）の高圧制御内で画像形成を行えるため、使用者が異常画像と認識するまでには至らない。
【０１００】
電源投入後から、制御手段１は湿度センサ３からの湿度信号を読み込み続け、所定時間の周期内のはじめの値と終わりの値と差すなわち変化量を調べる。
【０１０１】
この変化量の差が所定値よりも小さくなったと制御手段１が判断したら、制御手段１は、湿度センサ３の湿度信号が環境湿度に達したと判断し、湿度センサ３の湿度信号を有効にする。
【０１０２】
本実施例では周期時間を約２０秒にしている。その２０秒周期の始めに読んだ値と最後に読んだ値との差が、２以内になっていたら、それ以後は湿度センサ３の湿度信号を有効にしている。
【０１０３】
ここで、有効とか無効について述べているが、何れの状態も、湿度センサ３の湿度信号を読み込んだ湿度信号の情報を用いないだけであり、湿度センサ３の湿度信号を出力させないように作用しているわけではない。
【０１０４】
但し、湿度センサ３の湿度信号を一度有効にしたあとからでも、環境湿度が変動する可能性はあるため、２０秒ごとにチェックしている場合に、差が広がることがあれば再度無効にし、湿度センサ３の湿度信号が安定するまで有効にさせないようにすれば、湿度センサ３の湿度信号が安定している、すなわち環境湿度を正しく認識している状態時のみ、湿度センサ３の湿度信号にもとづく高圧設定を行うようにできる。
【０１０５】
湿度センサ３の湿度信号が有効になったあと、スタート信号を受け付けたときは、電源投入時に設定した中湿度環境の条件を湿度信号からの情報に置き換え、その情報が低湿度であれば、（Ａ）で、中湿度であれば（Ｂ）で高湿であれば（Ｃ）の高圧設定条件で、画像形成動作を制御手段１が制御する。
【０１０６】
次に本実施例における制御手段１が行う処理を、フローチャートにより説明する。メインルーチンを説明する前に、まずＡ／Ｄ変換のルーチンを説明する。
【０１０７】
図４は、定期的な周期で行われる湿度センサのＡ／Ｄ変換の割り込みルーチンのジェネラルフロー（概略的フロー）を示す図である。
【０１０８】
但し、電源立ち上げ時の最初にきたときは、２０秒前の湿度センサ３の情報が得られないため、単にＲＡＭの値とＡ／Ｄ変換値の入っているレジスタ値とを入れ替えるだけでこのルーチンを抜ける（Ｓ１２，Ｓ１８の処理）。
【０１０９】
この後２０秒経過すれば、以下の２０秒ごとに変化量を調べる処理を行う。本実施例ではタイマ手段４を用いて周期的に２０秒を検知し、その２０秒毎にＲＡＭ上に記憶した湿度センサ３の湿度信号の変換値と現在の湿度信号をＡ／Ｄ変換した値すなわちレジスタに入っている湿度信号の変換値とを入れ替える（Ｓ１３，Ｓ１４）。
【０１１０】
このことによって、現時点での変換値と２０秒前の変換値との比較を行えるようにしている。
【０１１１】
ここでＲＡＭの値すなわち現在の変換値と、レジスタの値すなわち２０秒前の変換値との差をとり、絶対値が２以下であれば、湿度センサ３を有効にさせる（Ｓ１５，Ｓ１６）。そうでなければこのルーチンを抜け出る（Ｓ１７）。
【０１１２】
また、一度湿度センサ３の湿度信号が落ち着いた後でも、窓を開けたことや、再度移動して使われることがあり、環境湿度が変動することがある。そのため、常に２０秒ごとにチェックして湿度信号の変化が大きくなったならば、湿度信号が落ち着くまで湿度センサ３を無効にすることで環境湿度が変動することに対応できる（Ｓ１７）。
【０１１３】
したがって、電源投入された後、２０秒ごとに湿度センサ３の湿度信号の変化量をチェックし、変化量の絶対値が２以下になればその時点で湿度センサ３の湿度信号を有効にさせている。そうでなければ湿度センサを無効にしてこのルーチンから抜け出る。
【０１１４】
次にメインルーチンのジェネラルフローを図５に示す。
【０１１５】
図５のＳ２１で装置のイニシャル動作を行い、さらにＳ２２で環境湿度設定を中湿度に設定させる。
【０１１６】
Ｓ２３で湿度センサを無効にし、入力された環境湿度を高圧設定条件にする。
【０１１７】
この後は通常のスタンバイ状態の制御になり、Ｓ２４ないしＳ２６の間では、キー入力を検知したらその入力にしたがって、表示や画像形成を行うためのモード設定行う。
【０１１８】
そして、スタート信号が入力されたことにより画像形成動作を行う（Ｓ２７）。
【０１１９】
Ｓ２８の処理で画像形成動作が終了したかをチェックしている。
【０１２０】
図６に、画像形成動作時に行う高圧設定ルーチンのジェネラルフローを示す。
【０１２１】
Ｓ３１で湿度センサ３が有効かチェックする。有効である場合は、湿度センサ３からの湿度信号をもとに高圧設定を行う。すなわち低湿度であれば（Ａ）、中湿度であれば（Ｂ）、高湿度であれば（Ｃ）の高圧設定を行う（Ｓ３２，Ｓ３４）。
【０１２２】
有効で無ければ、中湿度の設定で高圧条件を（Ｂ）に設定する（Ｓ３３）。
【０１２３】
以上説明したように、本実施例によれば、電源投入時から湿度センサの出力である湿度信号の変化量、すなわち所定時間内の変化量が設定値以下になるまでは湿度信号を有効にさせないように制御手段によって制御する。有効でない場合は、固定値にしておくことで湿度センサの湿度信号の影響を受けないように高圧条件を設定し、湿度センサの湿度信号の変化量が小さくなってすなわち環境湿度を正しく読み込める状態になったら、湿度信号を有効にしその湿度信号の情報をもとに高圧を設定するように制御を行うことにより、環境湿度に応じた適正な高圧設定を行い、所望した画像を得ることができる。
【０１２４】
（実施例２）
前記▲２▼の対策を行う“画像形成装置”を実施例２として説明する。
【０１２５】
湿度センサ３の湿度信号の出力状態に関わらず、環境湿度を設定可能にする環境設定モードを設けることで、作業する場所での環境湿度に応じた環境湿度設定を使用者が設定できるようにし、環境湿度に応じた高圧制御を行い、所望の画像を得られるようにする。
【０１２６】
本実施例は、空調等の吹き出し口の近辺に設置されたような場合において有効である。
【０１２７】
装置内の湿度センサ３の周囲が空調によってあぶられたり冷やされたりしてしまうため、空調の効いている状態での環境湿度を予め測定しておくことにより、操作手段２より環境湿度設定モードに入り、図７に示すように、操作手段２の表示部に表示を行う。
【０１２８】
空調のかかっている場合の、使用している場所での環境の標準が、低湿度であれば、１を入力し、中湿度であれば２を、高湿度であれば３を入力することで、制御手段１は、環境湿度設定モードを抜け、画像形成動作を受け付けるスタンバイモードに移る。
【０１２９】
以下、スタート信号が入力されたとき、湿度センサ３の湿度信号を使用せず、操作手段２から環境湿度設定モードで入力された環境湿度情報を用いて、低湿度であれば（Ａ）を、中湿度であれば（Ｂ）を、高湿度であれば（Ｃ）の高圧条件を制御手段１が選択し、高圧出力制御を行うことで実現できる。
【０１３０】
次に本実施例における制御手段１が行う処理を、フローチャートにより説明する。
【０１３１】
図８により、メインルーチンを説明する。
【０１３２】
電源投入後イニシャル動作を行い、画像形成装置をスタンバイ状態にする。これが図８のＳ４１の処理で行うイニシャルの制御ルーチンである。画像形成受付動作になったら、装置はスタンバイ状態になったことを操作手段２に表示する。Ｓ４２〜Ｓ４４の制御フローはキー受付に応じて表示を変更するフローである。
【０１３３】
本実施例ではキー入力は割り込みルーチンの中で行い、キー入力に対応したキーフラグをセットする（キー入力チェックのフローは図示せず）。
【０１３４】
Ｓ４２の判断の中でキーフラグがセットされたかチェックを行い、もしキーフラグが立っていれば立っているキーフラグに見合った制御やガイダンス等の表示を行う制御を操作手段２内の表示部に対して行い（Ｓ４３）、スタート入力がされていなければ、Ｓ４４の判断でまたＳ４２へと戻る。
【０１３５】
もしＳ４４でスタート信号入力を確認すると、制御手段１は、Ｓ４２，Ｓ４３の処理でそれまでに設定された枚数や倍率等のモードに従い、画像形成動作を設定されたモードで画像形成動作制御を行い（Ｓ４５）、さらに設定された画像形成動作が終了したかの判断を行い（Ｓ４６）、設定されたモードの画像形成が終了するまで制御手段１は画像形成制御を行う（Ｓ４６，Ｓ４５）。
【０１３６】
Ｓ４６で画像形成動作が完了したと判断すると、Ｓ４２へ戻り、再度画像形成動作を受け付ける状態すなわちスタンバイモードへ移行する。
【０１３７】
図９は、本実施例における画像形成動作に必要な高圧を設定するルーチンのジェネラルフローである。
【０１３８】
図９のＳ５１の判断で環境湿度設定モードであるか否かをチェックし、そのモードであるならば、Ｓ５２で入力された１〜３の数字に従い、以下のように制御を行う。
【０１３９】
入力されたキー入力が、１であれば低湿度環境下の高圧設定（Ａ）を行い、２であれば中湿度環境下の高圧設定（Ｂ）を行い、３であれば高湿度環境下の高圧設定（Ｃ）を行い、各々画像形成動作を行う（Ｓ５４）。
【０１４０】
環境湿度設定モードでなければ、Ｓ５３の制御を行う。すなわち湿度センサ３の湿度情報に従い、その環境湿度下の高圧設定のもとで各々画像形成動作を行う。
【０１４１】
この図９の制御を行った結果、湿度センサ３によって環境湿度を正しく認識できなくても入力された環境湿度条件で高圧を設定できる。
【０１４２】
以上説明したように、本実施例によれば、空調が働いている設置場所の環境湿度を測定しておき、環境湿度設定モードから環境湿度を低湿・中湿・高湿の３つの環境湿度設定から一番近い環境を設定しておくことにより湿度信号の情報からでなく環境湿度を設定された条件で高圧を設定する制御手段を設けることで、たとえば、空調が働いている設置場所においても環境湿度に応じた適正な高圧設定を行い、所望した画像を得ることができる。
【０１４３】
（実施例３）
前記▲３▼の対策を行う“画像形成装置”を実施例３として説明する。
【０１４４】
本実施例は、これも環境湿度の異なる場所へ移動した場合や、環境湿度が急激に変動している状態で画像形成動作を行う場合に適している。
【０１４５】
また湿度センサ３の湿度信号が不安定な状態になった、すなわち変化量が大きくなれば、再度、環境湿度設定モードに入るため、よりリアルタイムに環境変動が起きても環境補正できることは明らかである。また、湿度センサ３の湿度信号の変化量が小さくなれば、湿度信号を用いて高圧設定を行うようにできる。
【０１４６】
よって、前述の実施例１，２と比較して、より正確な環境湿度下で高圧設定を行える。
【０１４７】
本実施例では、電源投入時に、制御手段１は、ウェイトアップ動作を行うと共に湿度設定モードに入る。
【０１４８】
制御手段１は、使用者が使用する場所の環境湿度を選択するまで、湿度条件入力を促す図７の表示を行う。
【０１４９】
ただ、図７の表示を行っている最中にも制御手段１は、対策▲１▼の制御と同じように湿度センサ３の湿度信号の変化量を周期的に検知し、２０秒間で絶対値の変化量が２以内になった時、湿度設定モードを強制的に抜け、湿度センサ３の湿度信号を有効にさせ、その情報をもとに高圧設定を行う制御を行う。
【０１５０】
一方、湿度信号が安定した後で、湿度センサ３の湿度信号の変化量を周期的に検知した場合に、２０秒間で絶対値の変化量が３以上になったとき、湿度設定モードに強制的に入り、湿度センサ３の湿度信号を無効にさせ、使用者により湿度設定された情報をもとに高圧設定を行う制御を行う。または再度湿度信号の変化量が所定値内に収まったとき、湿度信号を有効にする制御を行う。
【０１５１】
したがって、前述の対策▲１▼〜▲３▼の制御を行うことにより、低，中，高湿度における高圧設定の条件を、より適正に行うことができる。
【０１５２】
次に本実施例を実現するための制御手段１が行うメインルーチンのジェネラルフローを図１０に示す。なおＡ／Ｄ変換のルーチンは図４のルーチンと全く同一なので、その説明を援用し、ここでの説明を省略する。
【０１５３】
図１０において、Ｓ６１で装置のイニシャル動作を行う。なお、イニシャル時では湿度センサ３の湿度信号が安定しているか判別できないため湿度センサ３は無効にしている。
【０１５４】
さらに環境湿度設定モードに入り、表示部に図７のように表示を行い環境湿度のキー入力を促す（Ｓ６２）。
【０１５５】
次にＡ／Ｄ変換の割り込みの中で、湿度センサの２０秒おきの変化量が所定値より小さくなり湿度センサが有効になっているかをチェックする（Ｓ６３）。ただし、実際に行うのは湿度センサ３が有効になっているか否かだけの判断だけである。最初、湿度センサ３は無効になっているため、Ｓ６４へ進む。
【０１５６】
Ｓ６４では環境湿度の入力が行われたかをチェックしている。入力されていれば、Ｓ６５のスタンバイ２へ移行し、Ｓ６６で入力された環境湿度を用いて環境湿度の設定を行う。ここで述べているスタンバイ２とは、湿度センサ３が無効になっているときに入るスタンバイ状態時での制御手段１が行う制御のジェネラルフローである。
【０１５７】
そしてＳ６７では、Ａ／Ｄ変換のルーチン内での湿度センサ３の湿度信号の変化量が制御手段１の読み値で変化量が２以内になっていることにより湿度センサ３が有効にされているかを判断している。
【０１５８】
無効のままであれば、Ｓ６８の判断の中でキー入力を行うことにより、キーフラグがセットされたかチェックを行い、もしキーフラグが立っていれば立っているキーフラグに見合った制御やガイダンス等の表示を行う制御を操作手段２内の表示部に対して行い（Ｓ６９）、スタート入力がされていなければ、Ｓ７０の判断でまたＳ６７へと戻る。
【０１５９】
Ｓ７０でスタート信号入力を確認すると、制御手段１は、Ｓ６８，Ｓ６９の処理でそれまでに設定された枚数や倍率等のモードに従い、かつ、環境湿度入力の湿度設定に従った環境湿度で、画像形成動作制御を行い（Ｓ７１）、さらに設定された画像形成動作が終了したかの判断を行い（Ｓ７２）、前記設定されたモードの画像形成が終了するまで制御手段１は画像形成制御を行う（Ｓ７１，Ｓ７２）。
【０１６０】
Ｓ７２で画像形成動作が完了したと判断すると、Ｓ６５へ戻り、再度画像形成動作を受け付ける状態すなわちスタンバイモード２へ移行する。
【０１６１】
一方、湿度センサ３の湿度信号の変化量がＳ６３，６４の環境湿度入力待ちの状態、または、Ｓ６７，Ｓ６８のキー入力待ち状態で、Ａ／Ｄ変換のルーチンにより湿度センサ３の湿度信号の変化量が小さくなった場合、湿度センサ３が有効にされるため、スタンバイ１（Ｓ７３）へ移行する。
【０１６２】
スタンバイ１は、湿度センサ３が有効になっている状態での画像形成動作を受け付ける状態、即ちスタンバイ状態での制御手段１の制御を示したジェネラルフローである。
【０１６３】
Ｓ７４で、再度湿度センサ３の湿度信号の変化量が大きくなっていないかをチェックしている。もし湿度センサ３が無効になった場合は湿度センサ３の湿度信号の変化量が大きくなったことが原因であるので、この場合、再び環境湿度設定モードを行うように、Ｓ６２へ移り、図７の表示を表示部へ表示し、環境湿度の入力を促す。
【０１６４】
湿度センサ３が有効であれば、Ｓ７５で湿度センサ３の湿度信号にて環境湿度の設定を行い、Ｓ７６の判断の中でキー入力を行うことで、キーフラグがセットされたかチェックを行い、もしキーフラグが立っていれば立っているキーフラグに見合った制御やガイダンス等の表示を行う制御を操作手段２内の表示部に対して行い（Ｓ７７）、スタート入力がされていなければ、Ｓ７８の判断でまたＳ７４へと戻る。
【０１６５】
Ｓ７８でスタート信号入力を確認すると、制御手段１は、Ｓ７６，Ｓ７７の処理でそれまでに設定された枚数や倍率等のモードに従い、かつ、Ｓ７５で設定した環境湿度に従った高圧出力で、画像形成動作制御を行い（Ｓ７９）、さらに設定された画像形成動作が終了したかの判断を行い（Ｓ８０）、前記設定されたモードの画像形成が終了するまで制御手段１は画像形成制御を行う（Ｓ７９，Ｓ８０）。
【０１６６】
Ｓ８０で画像形成動作が完了したと判断すると、Ｓ７３へ戻り、再度画像形成動作を受け付ける状態すなわちスタンバイモード１へ移行する。
【０１６７】
従って、スタンバイ１では、湿度センサ３が有効になっている状態でのスタート信号を受け付ける場合の制御手段１の制御を行い、スタンバイ２では、湿度センサ３が無効になっている状態でのスタート信号を受け付ける場合の制御手段１の制御を示している。
【０１６８】
また、画像形成動作に用いる高圧設定のジェネラルフローを図１１に示す。
【０１６９】
図１１のＳ８１で湿度センサが有効になっているかを判断し、有効でなければ操作手段２からの入力で１なら低湿度、２なら中湿度、３なら高湿度の条件として設定する（Ｓ８３）。
【０１７０】
湿度センサ３が有効であるならば、湿度信号で環境湿度を決定させる（Ｓ８２）。
【０１７１】
Ｓ８４で、低湿度であれば（Ａ）の条件で、中湿度であれば（Ｂ）の条件で、高湿度であれば（Ｃ）の条件で高圧設定を行う。
【０１７２】
以上説明したように、制御手段１が前述した高圧設定制御を行うことで、ある環境湿度の変動が起こっても、異常画像を生じない高圧設定制御を実現することができ、よって、環境湿度に応じた適正な高圧設定を行い、所望した画像を得ることができる。
【０１７３】
【発明の効果】
以上説明したように、本発明によれば、環境湿度が急激に変化している場合や、空調の吹き出し口近辺に設置された場合に置いても、環境湿度を正しく検知する状態になるまで湿度センサの湿度信号を有効にさせないため、また湿度センサが誤検知する可能性のあるときは使用場所の環境湿度で高圧設定を行えるため、環境湿度に応じた適正な高圧設定を行い、所望した画像を得ることができる。
【図面の簡単な説明】
【図１】実施例における制御手段およびその周辺の構成を示すブロック図
【図２】実施例で用いる現像バイアス回路を示す図
【図３】高圧出力設定のジェネラルフローを示す図
【図４】実施例１におけるＡ／Ｄ変換ルーチンのフローチャート
【図５】実施例１におけるメインルーチンのフローチャート
【図６】実施例１における高圧設定ルーチンのフローチャート
【図７】実施例２，３における環境湿度設定モード時の表示例を示す図
【図８】実施例２におけるメインルーチンのフローチャート
【図９】実施例２における高圧設定ルーチンのフローチャート
【図１０】実施例３におけるメインルーチンのフローチャート
【図１１】実施例３における高圧設定ルーチンのフローチャート
【符号の説明】
１　制御手段
２　操作手段
３　湿度センサ
４　タイマ手段
６　高圧出力手段
【図１】
2004029130.tif 000003
【図２】
2004029130.tif 000004
【図３】
2004029130.tif 000005
【図４】
2004029130.tif 000006
【図５】
2004029130.tif 000007
【図６】
2004029130.tif 000008
【図７】
2004029130.tif 000009
【図８】
2004029130.tif 000010
【図９】
2004029130.tif 000011
【図１０】
2004029130.tif 000012
【図１１】
2004029130.tif 000013